(57)【要約】  【課題】  ２枚めくりを防止する機能が向上することのできる通帳ページめくり装置を提供する。  【解決手段】  通帳ページめくり装置１は、複数枚のシート１４が綴じ部１６で綴じられた通帳２を搬送経路６上で搬送する搬送ローラ７、９と、搬送ローラ７、９と連動し搬送経路６上で搬送される通帳２のページめくりを行う二つのページめくりローラ１０を備える。通帳２のページめくりを行うときに、二つのページめくりローラ１０をページめくり方向と交わる方向に同期的に移動させて、１枚目のシート１４を２枚目のシート１４から分離する。【選択図】  図１
2009137013.tif 000002
【特許請求の範囲】
【請求項１】
複数枚のシートが綴じ部で綴じられた通帳を、搬送経路上で搬送する搬送手段と、
前記搬送手段と連動し、前記搬送経路上で搬送される前記通帳のページめくりを行う複数のページめくり手段と、
前記複数のページめくり手段が前記通帳のシートに接触した状態で、前記ページめくり手段が前記通帳のページめくりを行う方向と交わる方向に、前記複数のページめくり手段を同期的に移動させる移動手段と、
を備えたことを特徴とする通帳ページめくり装置。
【請求項２】
前記複数のページめくり手段が、前記通帳の搬送方向と同一方向に回転する二つのページめくりローラであり、
前記移動手段は、前記二つのページめくりローラを振動させる振動手段を含むことを特徴とする請求項１に記載の通帳ページめくり装置。
【請求項３】
前記複数のページめくり手段が、前記通帳の搬送方向と同一方向に回転する二つのページめくりローラであり、
前記移動手段は、前記二つのページめくりローラを互いに逆方向に往復移動させる往復移動手段を含むことを特徴とする請求項１に記載の通帳ページめくり装置。
【請求項４】
前記複数のページめくり手段が、前記通帳の搬送方向と同一方向に回転する二つのページめくりローラであり、
前記移動手段は、前記二つのページめくりローラを互いに同方向に往復移動させる往復移動手段を含むことを特徴とする請求項１に記載の通帳ページめくり装置。
【発明の詳細な説明】
【技術分野】
【０００１】
本発明は、複数枚のシートが綴じられた通帳のページめくりを行う通帳ページめくり装置に関するものである。
【背景技術】
【０００２】
通帳ページめくり装置は、郵便局や銀行等の金融機関に設置された現金自動支払装置に用いられており、現金自動支払装置で通帳に取引データの印字を行うときに通帳のページめくりを行う。
【０００３】
このような通帳ページめくり装置では、通帳のページめくりを行うときに、２枚が同時にめくられてしまうことがある。そこで、従来、２枚めくりを防止する機能を備えた通帳ページめくり装置が提案されている（例えば特許文献１参照）。
【０００４】
従来の通帳ページめくり装置では、突き上げ部材の突き上げ位置上昇後の前半めくり動作と、突き上げ部材の突き上げ位置からの復帰後の後半めくり動作とに分けて、表紙めくり動作が行われる。通帳が綴じ部に直交する方向に搬送ローラで搬送される。通帳の表紙がめくりローラに接触する位置まで送られると、めくりローラの正転と逆転を行って、表紙と中紙を分離する。従来の通帳ページめくり装置では、このようにして２枚めくりが防止される。
【特許文献１】特開２００１−２２５５７０号公報（第２−６頁）
【発明の開示】
【発明が解決しようとする課題】
【０００５】
しかしながら、従来の通帳ページめくり装置では、めくりローラの正転と逆転を行って通帳のシート（表紙と中紙）の分離が行われる。この場合、めくりローラがシートの分離を行う方向とページめくりを行う方向は、いずれもめくりローラの回転方向である。つまり、従来の通帳ページめくり装置では、シート分離方向とページめくり方向が、いずれも同じ方向である。このページめくり方向は、シートが移動しやすい（変形しやすい）方向である。したがって、ページめくり方向と同じ方向にめくりローラを移動させてシートの分離を行うと、２枚目のシートが１枚目のシートとともにめくられてしまうことがあり、２枚めくりを防止する機能が不十分であるという問題があった。
【０００６】
本発明は、上記従来の問題を解決するためになされたもので、２枚めくりを防止する機能を向上した通帳ページめくり装置を提供することを目的とする。
【課題を解決するための手段】
【０００７】
本発明の通帳ページめくり装置は、複数枚のシートが綴じ部で綴じられた通帳を、搬送経路上で搬送する搬送手段と、前記搬送手段と連動し、前記搬送経路上で搬送される前記通帳のページめくりを行う複数のページめくり手段と、前記複数のページめくり手段が前記通帳のシートに接触した状態で、前記ページめくり手段が前記通帳のページめくりを行う方向と交わる方向に、前記複数のページめくり手段を同期的に移動させる移動手段と、を備えた構成を有している。
【０００８】
この構成により、通帳のページめくりを行うときに、複数のページめくり手段をページめくり方向と交わる方向に同期的に移動させてシートの分離を行う。このページめくり方向と交わる方向は、シートが移動しにくい（変形しにくい）方向である。したがって、１枚目のシートが２枚目のシートから分離されやすく、２枚めくりを防止する機能が向上する。
【０００９】
また、本発明の通帳ページめくり装置では、前記複数のページめくり手段が、前記通帳の搬送方向と同一方向に回転する二つのページめくりローラであり、前記移動手段は、前記二つのページめくりローラを振動させる振動手段を含む構成を有している。
【００１０】
この構成により、通帳のページめくりを行うときに、二つのページめくりローラを振動させ、シートに振動を与えてシートの分離を行う。このとき、シートが移動しにくい（変形しにくい）方向に振動を与えることにより、１枚目のシートを２枚目のシートから容易に分離できる。これにより、２枚めくりを防止する機能が向上する。
【００１１】
また、本発明の通帳ページめくり装置では、前記複数のページめくり手段が、前記通帳の搬送方向と同一方向に回転する二つのページめくりローラであり、前記移動手段は、前記二つのページめくりローラを互いに逆方向に往復移動させる往復移動手段を含む構成を有している。
【００１２】
この構成により、通帳のページめくりを行うときに、二つのページめくりローラを互いに逆方向に移動させ、シートを撓ませてシートの分離を行う。このように、シートが移動しにくい（変形しにくい）方向にシートを撓ませることにより、１枚目のシートを２枚目のシートから容易に分離できる。これにより、２枚めくりを防止する機能が向上する。
【００１３】
また、本発明の通帳ページめくり装置では、前記複数のページめくり手段が、前記通帳の搬送方向と同一方向に回転する二つのページめくりローラであり、前記移動手段は、前記二つのページめくりローラを互いに同方向に往復移動させる往復移動手段を含む構成を有している。
【００１４】
この構成により、通帳のページめくりを行うときに、二つのページめくりローラを互いに同方向に移動させ、シートを撓ませてシートの分離を行う。このように、シートが移動しにくい（変形しにくい）方向にシートを撓ませることにより、１枚目のシートを２枚目のシートから容易に分離できる。これにより、２枚めくりを防止する機能が向上する。
【発明の効果】
【００１５】
本発明は、通帳のページめくりを行う方向と交わる方向に、複数のページめくり手段を同期的に移動させる移動手段を設けることにより、１枚目のシートを２枚目のシートから容易に分離することができ、２枚めくりを防止する機能が向上するという効果を有する通帳ページめくり装置を提供することができるものである。
【発明を実施するための最良の形態】
【００１６】
以下、本発明の実施の形態の通帳ページめくり装置について、図面を用いて説明する。本実施の形態では、郵便局や銀行などの金融機関に設置された現金自動支払装置等に用いられる通帳ページめくり装置の場合を例示する。
【００１７】
（第１の実施の形態）
本発明の第１の実施の形態の通帳ページめくり装置の構成を図１および図２を用いて説明する。図１は、通帳ページめくり装置の全体の外観を示した斜視図である。図２は、ページめくりユニットの構成を説明するための斜視図である。
【００１８】
図１に示すように、本実施の形態の通帳ページめくり装置１は、通帳２が載置されるケース３と、通帳２を搬送する一対の搬送ユニット４と、通帳２のページめくりを行うページめくりユニット５を備えている。ケース３は、箱形に形成されており、ケース３の上面には、通帳２を搬送するための搬送路６が設けられている。
【００１９】
各搬送ユニット４は、円柱形状の二つの搬送ローラ７と、円棒形状の軸部８を備えている。二つの搬送ローラ７は、軸部８を中心軸として回転可能に軸支されている。図１では図示されていないが、搬送ユニット４は、二つの搬送ローラ７（上搬送ローラ７ともいう）に対向する二つの搬送ローラ９（下搬送ローラ９ともいう）を備えている（図３および図４参照）。搬送ユニット４は、上搬送ローラ７と下搬送ローラ９との間に通帳２を挟んだ状態で、上搬送ローラ７と下搬送ローラ９を回転させることにより、通帳２を搬送路６上で搬送することができるように構成されている。ここでは、搬送ローラ７、９が、本発明の搬送手段に相当する。
【００２０】
ページめくりユニット５は、一対の搬送ユニット４の間に配置されており、円柱形状の二つのページめくりローラ１０を有するローラホルダ１１と、円棒形状の軸部１２と、軸部１２を支持する支持フレーム１３を備えている。二つのページめくりローラ１０は、ローラホルダ１１を介して、軸部１２を中心軸として回転可能に軸支されている。図２に示すように、ページめくりユニット５は、ページめくりローラ１０が通帳２のシート１４と接触した状態で、ページめくりローラ１０を回転させることにより、通帳２のページめくりを行うことができるように構成されている。このページめくりローラ１０の外周面のうち通帳２のシート１４と接触する部分（例えば図３（ａ）における下側部分）は、通帳２のシート１４との接触状態をできるだけ維持できるように、粘性ゴムなどの摩擦係数の高い材料を用いて形成されている。ここでは、ページめくりローラ１０が、本発明のページめくり手段に相当する。
【００２１】
図２に示すように、ページめくりユニット５の支持フレーム１３に振動モータ１５が取り付けられている。振動モータ１５は、重心をずらした重りがモータ軸に取り付けられているモータであり、モータ軸を回転させることにより振動を発生するものである。振動モータ１５を作動させて振動を発生させると、軸部１２とローラホルダ１１を介してページめくりローラ１０に振動が伝達され、ページめくりローラ１０が振動する。ここでは、振動モータ１５が、本発明の振動手段に相当する。
【００２２】
本実施の形態では、ローラホルダ１１が、軸部１２に沿って移動可能に取り付けられている。したがって、二つのページめくりローラ１０は、振動モータ１５を作動させると、軸部１２に沿った方向に揃って振動する。なお、これらのページめくりローラ１０は、軸部１２を中心軸として回転することによって通帳２のページめくりを行うので、ページめくり方向と振動方向は直交しているといえる。
【００２３】
通帳２は、複数枚のシート１４が重ねられて綴じ部１６で綴じられて構成されている（図３および図４参照）。複数枚のシート１４はそれぞれページとなり、通帳２のページは通帳ページめくり装置１によってめくることができる。なお、本実施の形態では、ページとなる各シート１４は紙であるが、シート状のものであれば紙以外のものであってもよい。
【００２４】
以上のように構成された通帳ページめくり装置１について、図３および図４を用いてその動作を説明する。ここでは、本実施の形態の通帳ページめくり装置１を用いて通帳２のページめくりを行うときの動作の流れを説明する。
【００２５】
通帳２のページめくりを行うときには、図３（ａ）に示すように、まず、見開き状態の通帳２が、搬送ローラ７、９によって搬送路６上のページめくり位置まで搬送される。ここで、ページめくり位置とは、ページめくりを行うための所定位置である。ページめくり位置まで搬送された通帳２は、ページめくりローラ１０にシート１４が接触した状態になる。
【００２６】
この状態で、振動モータ１５を作動させるとともにページめくりローラ１０を回転させる。そうすると、振動モータ１５から伝達される振動によって、１枚目のシート１４が２枚目のシート１４から分離する。そして、図３（ｂ）に示すように、通帳２の１枚目のシート１４がページめくりローラ１０とともに綴じ部１６の方向に移動して、１枚目のシート１４の先端部と綴じ部１６の間が膨らんだ状態になる。
【００２７】
そして、ページめくりローラ１０と１枚目のシート１４の接触状態を維持しつつ、ページめくりローラ１０を更に回転させると、図３（ｃ）に示すように、１枚目のシート１４の先端部が搬送路６から離れる方向に持ち上げられる。
【００２８】
続いて、ページめくりローラ１０を更に回転させると、シート１４の復元力が作用して、図３（ｄ）に示すように、シート１４の先端部がページめくりローラ１０の上側に配置された状態になる。
【００２９】
次に、図４（ａ）に示すように、搬送ローラ７、９を回転させて、通帳２の綴じ部１６をページめくりローラ１０に近づける方向（図４の右方向）へ移動させ、ページめくりローラ１０の上側に配置されたシート１４を徐々に持ち上げる。
【００３０】
搬送ローラ７、９を更に回転させて、通帳２の綴じ部１６がページめくりローラ１０の下側を通過すると、図４（ｂ）に示すように、ページめくりローラ１０によってシート１４が反対側（図４の左側）へ倒されて、反対側の上搬送ローラ７の上側に配置される。
【００３１】
続いて、搬送ローラ７、９を更に回転させて、通帳２の反対側の先端部を反対側の搬送ローラ７、９に近づける方向（図４の右方向）へ移動させる。そして、通帳２の反対側の先端部が反対側の上搬送ローラ７の下側を通過すると、図４（ｃ）に示すように、反対側の上搬送ローラ７の上側に配置されていたシート１４が反対側のシート１４に重ねられる。このようにして、通帳２のページめくりが完了する。
【００３２】
このような本発明の第１の実施の形態の通帳ページめくり装置１によれば、通帳２のページめくりを行う方向と交わる方向に、二つのページめくりローラ１０を同期的に移動させる振動モータ１５を設けることにより、１枚目のシート１４を２枚目のシート１４から容易に分離することができ、２枚めくりを防止する機能が向上する。
【００３３】
すなわち、本実施の形態では、通帳２のページめくりを行うときに、二つのページめくりローラ１０をページめくり方向と直交する方向に同期的に移動させてシート１４の分離を行う。このページめくり方向と直交する方向は、シート１４が移動しにくい（変形しにくい）方向である。したがって、１枚目のシート１４が２枚目のシート１４から分離されやすく、２枚めくりを防止する機能が向上する。
【００３４】
具体的には、通帳２のページめくりを行うときに、二つのページめくりローラ１０を振動させ、シート１４に振動を与えてシート１４の分離を行う。このとき、シート１４が移動しにくい（変形しにくい）方向に振動を与えることにより、１枚目のシート１４を２枚目のシート１４から容易に分離できる。これにより、２枚めくりを防止する機能が向上する。一つのページめくりローラ１０を用いる場合に比べて、二つのページめくりローラ１０で通帳２のシート１４に確実に振動を伝えることができるので、さばき効果が増大し、１枚目と２枚目のシート１４を確実に分離でき、２枚めくりを防止することができる。
【００３５】
（第２の実施の形態）
次に、本発明の第２の実施の形態の通帳ページめくり装置について説明する。本実施の形態の通帳ページめくり装置では、ページめくりユニットの構成が第１の実施の形態と異なる。ここでは、第１の実施の形態と異なるページめくりユニットの構成を中心に説明する。すなわち、ここで特に言及しない限り、本実施の形態の構成は第１の実施の形態と同様である。
【００３６】
図５は、本実施の形態のページめくりユニットの構成を説明するための斜視図である。図５に示すように、ページめくりユニット１７は、円柱形状の二つのページめくりローラ１８と、円棒形状の軸部１９と、軸部１９を支持する支持フレーム２０を備えている。二つのページめくりローラ１８は、軸部１９を中心軸に回転可能に、かつ、中心軸方向にスライド自在に軸支されている。また、二つのページめくりローラ１８の外側面にはカム凸部２１が設けられており、支持フレーム２０には、カム凸部２１に当接する押出しレバー２２が設けられている。二つのページめくりローラ１８の間には、二つのページめくりローラ１８を外側に向けて付勢する押戻しばね２３が取り付けられている。
【００３７】
以上のように構成された本実施の形態のページめくりユニット１７について、図６を用いてその動作を説明する。ここでは、ページめくり位置まで搬送された通帳２のシート１４がページめくりローラ１８に接触した状態でのページめくりユニット１７の動作について説明する。
【００３８】
本実施の形態では、ページめくりローラ１８を回転させると、支持フレーム２０の押出しレバー２２がページめくりローラ１８のカム凸部２１に乗り上げる。このとき、押出しレバー２２は支持フレーム２０に固定されているので、ページめくりローラ１８は、押出しレバー２２からの押圧力を受け、押戻しばね２３の付勢力に抗して軸方向内側へ向けてスライドする。ページめくりローラ１８を更に回転させると、支持フレーム２０の押出しレバー２２がページめくりローラ１８のカム凸部２１から下り降りる。そうすると、ページめくりローラ１８は、押出しレバー２２からの押圧力を受けなくなり、押戻しばね２３の付勢力によって軸方向外側へ向けてスライドする。ここでは、カム凸部２１と押出しレバー２２と押戻しばね２３が、本発明の往復移動手段に相当する。
【００３９】
以下、ページめくりローラ１８の往復移動について、図面を用いて詳細に説明する。図６は、本実施の形態のページめくりローラ１８が互いに逆方向に往復移動する様子を示す説明図である。図６に示すように、本実施の形態では、二つのページめくりローラ１８の外側面において、互いに同じ回転位置にカム凸部２１が設けられている。例えば、図６（ａ）に示すように、二つのページめくりローラ１８を所定の回転位置にしたときに、それぞれのカム凸部２１がともに上側に位置するように設定されている。このとき、押出しレバー２２はページめくりローラ１８のカム凸部２１に当接していない。
【００４０】
そして、図６（ｂ）に示すように、二つのページめくりローラ１８を１８０°回転させると、それぞれのカム凸部２１がともに下側に位置するようになる。そうすると、左右の支持フレーム２０の押出しレバー２２がそれぞれページめくりローラ１８のカム凸部２１に乗り上げ、二つのページめくりローラ１８が軸方向内側へ向けて同時にスライドする。その後、二つのページめくりローラ１８を更に１８０°回転させると、図６（ａ）に示すように、左右の支持フレーム２０の押出しレバー２２がそれぞれページめくりローラ１８のカム凸部２１から下り降り、押戻しばね２３の弾性力で押されて、二つのページめくりローラ１８が軸方向外側へ向けて同時にスライドする。
【００４１】
このように、本実施の形態では、二つのページめくりローラ１８が互いに逆方向に往復移動する。通帳２のシート１４がページめくりローラ１８に接触した状態で、二つのページめくりローラ１８を軸方向内側に向けて同時に移動させることにより、１枚目のシート１４を軸方向内側に向けて撓ませる。つまり、１枚目のシート１４の中央部分を浮き上がらせる。これにより、１枚目のシート１４が２枚目のシート１４から分離され、２枚めくりが防止される。
【００４２】
なお、ここでは、二つのページめくりローラ１８を、１８０°回転させて軸方向内側へスライドさせ、更に１８０°回転させて軸方向外側へ向けてスライドさせる例について説明したが、ページめくりローラ１８を回転させる角度は、これに限定されるものではなく、例えば３０°や６０°であってもよい。
【００４３】
このような本発明の第２の実施の形態の通帳ページめくり装置によっても、第１の実施の形態と同様の作用効果が奏される。
【００４４】
本実施の形態では、通帳２のページめくりを行うときに、二つのページめくりローラ１８を互いに逆方向に移動させ、シート１４を撓ませてシート１４の分離を行う。このように、シート１４が移動しにくい（変形しにくい）方向にシート１４を撓ませることにより、１枚目のシート１４を２枚目のシート１４から容易に分離できる。これにより、２枚めくりを防止する機能が向上する。この場合、二つのページめくりローラ１８を逆方向に同期して移動させて２枚めくりを防止するので、一つのページめくりローラ１８を用いる場合に比べて、二つのローラで１枚目のシート１４を左右から中央に向けて寄せる動きを発生させることが出来るため、１枚目のシート１４の中央部分が浮き上がり、１枚目と２枚目のシートを確実に分離でき、２枚めくりを防止することができる。
【００４５】
（変形例）
図７は、第２の実施の形態の変形例のページめくりローラの説明図である。図７に示すように、この変形例では、二つのページめくりローラ１８が一体とされており、その一方の外側面にカム凸部２１が設けられている。例えば、図７（ａ）に示すように、二つのページめくりローラ１８を所定の回転位置にしたときに、ページめくりローラ１８のカム凸部２１が上側に位置する。このとき、押出しレバー２２はページめくりローラ１８のカム凸部２１に乗り上げていない。
【００４６】
そして、図７（ｂ）に示すように、二つのページめくりローラ１８を１８０°回転させると、カム凸部２１が下側に位置するようになり、押出しレバー２２がページめくりローラ１８のカム凸部２１に乗り上げる。これにより、二つのページめくりローラ１８が軸方向の他方側（図７の右側）へ向けて同時にスライドする。その後、二つのページめくりローラ１８を更に１８０°回転させると、図７（ａ）に示すように、押出しレバー２２がページめくりローラ１８のカム凸部２１から下り降り、押戻しばね２３の弾性力で押されて、二つのページめくりローラ１８が軸方向の一方側（図７の左側）へ向けて同時にスライドする。
【００４７】
このように、本実施の形態では、二つのページめくりローラ１８が互いに同方向に往復移動する。通帳２のシート１４がページめくりローラ１８に接触した状態で、二つのページめくりローラ１８を軸方向の片側に向けて同時に移動させることにより、１枚目のシート１４を軸方向の片側に向けて撓ませる。これにより、１枚目のシート１４が２枚目のシート１４から分離され、２枚めくりが防止される。
【００４８】
なお、ここでは、二つのページめくりローラ１８を、１８０°回転させて軸方向の一方側へスライドさせ、更に１８０°回転させて軸方向の他方側へ向けてスライドさせる例について説明したが、ページめくりローラ１８を回転させる角度は、これに限定されるものではなく、例えば３０°や６０°であってもよい。
【００４９】
このような変形例によっても、第２の実施の形態と同様の作用効果が奏される。
【００５０】
この変形例では、通帳２のページめくりを行うときに、二つのページめくりローラ１８を互いに同方向に移動させ、シート１４を撓ませてシート１４の分離を行う。このように、シート１４が移動しにくい（変形しにくい）方向にシート１４を撓ませることにより、１枚目のシート１４を２枚目のシート１４から容易に分離できる。これにより、２枚めくりを防止する機能が向上する。この場合、二つのページめくりローラ１８を同方向に同期して移動させて２枚めくりを防止するので、一つのページめくりローラ１８を用いる場合に比べて、二つのめくりローラ１８で通帳２のシート１４の角に近い部分に力を加えることができ、１枚目のシート１４を容易に撓ませることができる。これにより、１枚目と２枚目のシート１４を確実に分離でき、２枚めくりを防止することができる。
【００５１】
以上、本発明の実施の形態を例示により説明したが、本発明の範囲はこれらに限定されるものではなく、請求項に記載された範囲内において目的に応じて変更・変形することが可能である。
【産業上の利用可能性】
【００５２】
以上のように、本発明にかかる通帳ページめくり装置は、１枚目のシートを２枚目のシートから容易に分離することができ、２枚めくりを防止する機能が向上するという効果を有し、郵便局や銀行などの金融機関に設置された現金自動支払装置等に用いられ、有用である。
【図面の簡単な説明】
【００５３】
【図１】本発明の第１の実施の形態における通帳ページめくり装置の斜視図
【図２】第１の実施の形態におけるページめくりユニットに関する構成を示す斜視図
【図３】ページめくりの動作（前半）の流れを示す側面図
【図４】ページめくりの動作（後半）の流れを示す側面図
【図５】第２の実施の形態におけるページめくりユニットに関する構成を示す斜視図
【図６】二つのページめくりローラが互いに逆方向に往復移動する様子を示す正面図
【図７】二つのページめくりローラが互いに同方向に往復移動する様子を示す正面図
【符号の説明】
【００５４】
１  通帳ページめくり装置
２  通帳
４  搬送ユニット
５  ページめくりユニット
６  搬送路
７、９  搬送ローラ
１０  ページめくりローラ
１４  シート
１５  振動モータ
１６  綴じ部
１７  ページめくりユニット
１８  ページめくりローラ
２１  カム凸部
２２  押出しレバー
２３  押戻しばね
【図１】
2009137013.tif 000003
【図２】
2009137013.tif 000004
【図３】
2009137013.tif 000005
【図４】
2009137013.tif 000006
【図５】
2009137013.tif 000007
【図６】
2009137013.tif 000008
【図７】
2009137013.tif 000009